(57)【特許請求の範囲】
【請求項１】
上下方向に延びる側板を有し且つ天井材に設けられた開口部に埋込配設される器具本体と、
前記側板の下端と前記天井材の前記開口部の周縁とを覆う枠体と、を備え、
前記器具本体には、前記枠体を取り付けるための取付ねじがねじ込まれるねじ孔が形成されており、
前記枠体には、前記ねじ孔の下側で前記ねじ孔に対向し且つ前記取付ねじを回転させる工具の径寸法よりも大きい物体の挿入を制限する工具挿入孔が形成されており、
前記枠体は、前記工具挿入孔を閉塞する閉位置と、前記工具挿入孔を開放する開位置との間で移動可能な開閉部材を備え、
前記開閉部材は、上向きの力を受けたときに、前記閉位置から前記開位置に移動し、上向きの力を受けていないときに、重力により前記開位置から前記閉位置に移動するように、前記工具挿入孔の上方に配置されたことを特徴とする照明器具。
【請求項２】
前記開閉部材は、前記枠体に設けられた軸受けに支持された軸部と、前記軸部を中心に回転する蓋部と、を備え、
前記蓋部は、前記軸部を中心とする回転に伴い、前記閉位置と前記開位置との間で移動可能なことを特徴とする請求項１記載の照明器具。
【請求項３】
前記枠体は、前記工具挿入孔の近傍に形成されたガイド部を備え、
前記ガイド部には、前記開閉部材が前記閉位置と前記開位置との間で移動する際の移動経路に設けられた案内溝が形成され、
前記開閉部材は、少なくとも一部分が突起状に形成されており、突起状に形成された前記一部分が前記案内溝に案内されることを特徴とする請求項１記載の照明器具。
【請求項４】
前記開閉部材に対して、前記開位置から前記閉位置に向かう方向の力を加える弾性体を備えたことを特徴とする請求項１乃至３のいずれか１項に記載の照明器具。
【請求項５】
前記枠体は、前記工具挿入孔の径方向の外側に向かうに連れて上方に傾斜する傾斜面を有し、
前記開閉部材は、前記傾斜面に沿って移動可能な球体状であること特徴とする請求項１記載の照明器具。
【発明の詳細な説明】
【技術分野】
【０００１】
本発明は、照明器具に関する。
【背景技術】
【０００２】
従来、下面に開口窓を有し天井材に形成された貫通孔を通して天井の内部空間に挿入される器具本体と、天井材の下面側で貫通孔の周部に重なるように配置される枠体とを備えた天井埋込型の照明器具が知られている。例えば、特許文献１には、建物躯体から垂下された吊りボルトに吊り下げられる器具本体において、器具本体の下面側には開口が形成されており、開口に枠体が取り付けられた照明器具が記載されている。特許文献１記載の照明器具では、枠体の各挿通孔を挿通させた取付ねじを器具本体の取付片のねじ孔にそれぞれねじ込むことで、枠体の器具本体への取り付けが行われる。
【先行技術文献】
【特許文献】
【０００３】
【特許文献１】特開２００６−１７２８９５号公報
【発明の概要】
【発明が解決しようとする課題】
【０００４】
特許文献１記載の照明器具では、枠体が器具本体に取り付けられた状態では、枠体の表面から取付ねじの頭部が露出している。したがって、下方から照明器具を見上げた際に、取付ねじの頭部が視界に入ってしまい、意匠性が損なわれてしまうおそれがあった。
【０００５】
本発明は上記課題に鑑みてなされており、作業性の低下を抑えつつ、意匠性を向上させた照明器具を提供することを目的とする。
【課題を解決するための手段】
【０００６】
本発明の照明器具は、上下方向に延びる側板を有し且つ天井材に設けられた開口部に埋込配設される器具本体と、前記側板の下端と前記天井材の前記開口部の周縁とを覆う枠体と、を備え、前記器具本体には、前記枠体を取り付けるための取付ねじがねじ込まれるねじ孔が形成されており、前記枠体には、前記ねじ孔の下側で前記ねじ孔に対向し且つ前記取付ねじを回転させる工具の径寸法よりも大きい物体の挿入を制限する工具挿入孔が形成されており、前記枠体は、前記工具挿入孔を閉塞する閉位置と、前記工具挿入孔を開放する開位置との間で移動可能な開閉部材を備え、前記開閉部材は、上向きの力を受けたときに、前記閉位置から前記開位置に移動し、上向きの力を受けていないときに、重力により前記開位置から前記閉位置に移動するように、前記工具挿入孔の上方に配置されたことを特徴とする。
【発明の効果】
【０００７】
本発明によれば、作業性の低下を抑えつつ、意匠性を向上させた照明器具を提供することができる。
【図面の簡単な説明】
【０００８】
【図１】図１Ａは本発明の実施形態１に係る照明器具の開閉部材を含む要部の断面図であり、図１Ｂは同上の照明器具の開閉部材の平面図である。
【図２】図２Ａは同上の照明器具を右下から見た斜視図、図２Ｂは同上の照明器具の一部を省略した下面図である。
【図３】図３Ａは同上の照明器具の一部を省略して左から見た断面図、図３Ｂは同上の照明器具の一部を省略して前から見た断面図である。
【図４】図４は同上の照明器具の下面図である。
【図５】図５は比較例の照明器具の要部の断面図である。
【図６】図６は本発明の実施形態１に係る照明器具の変形例１を示し、図６Ａは変形例１における照明器具の開閉部材を含む要部の断面図、図６Ｂは変形例１における照明器具の開閉部材の平面図である。
【図７】図７は本発明の実施形態１に係る照明器具の変形例２を示し、図７Ａは変形例２における照明器具の開閉部材を含む要部の断面図、図７Ｂは変形例２における照明器具の開閉部材の平面図である。
【図８】図８Ａは本発明の実施形態２に係る照明器具の開閉部材を含む要部の断面図であり、図８Ｂは実施例２に係る照明器具の開閉部材の平面図である。
【図９】図９Ａは本発明の実施形態３に係る照明器具の開閉部材を含む要部の断面図であり、図９Ｂは実施例３に係る照明器具の開閉部材の平面図である。
【発明を実施するための形態】
【０００９】
以下、本発明の実施形態１〜３に係る照明器具について、図面を参照して詳細に説明する。
【００１０】
なお、以下の実施形態で説明する構成は本発明の一例に過ぎない。本発明は、以下の実施形態に限定されず、本発明に係る技術思想を逸脱しない範囲であれば、設計等に応じて種々の変更が可能である。また、以下の説明では特に断りがない限り、図２Ａに示す向きにおいて上下左右前後の方向を規定する。
【００１１】
（実施形態１）
実施形態１に係る照明器具１は、天井材２００に形成された開口部２０１に埋込設置される天井埋込型の照明器具である。照明器具１は、器具本体１０と、枠体３０とを有する。
【００１２】
器具本体１０は、コンクリートスラブ等の建物躯体（図示せず）から垂下された２本の吊りボルト（取付ボルト）２０２に吊り下げられる（図３Ａ参照）。器具本体１０は、図２Ｂ及び図３Ｂに示すように天板１１を有する。器具本体１０は、図３に示すように４つの側板１２を有する。各側板１２は、天板１１の周縁から下向きに曲げ起こされて形成されている。よって、器具本体１０は、下面が開口した前後方向に延びる矩形箱状に形成されている。なお、前方に位置する側板を前側板１２１ａと呼び、後方に位置する側板を後側板１２１ｂと呼ぶ。また、右方に位置する側板を右側板１２２ａと呼び、左方に位置する側板を左側板１２２ｂと呼ぶ。
【００１３】
天板１１は、前後方向に延びる長方形状の金属板により形成されている。また、天板１１は、左右方向の端部が、左右方向の外側に行くに連れて下方に傾斜するように折り曲げられて形成されている（図１Ａ）。天板１１には、前後方向に所定の間隔を空けて、吊りボルト２０２が挿通されるボルト挿通長孔１１１及びボルト挿通長孔１１２が形成されている（図２Ｂ参照）。また、天板１１には、ボルト挿通長孔１１１とボルト挿通長孔１１２との間の位置に、電源線（図示しない）が挿通される電源線挿通孔１１３が形成されている。また、天板１１には、ボルト挿通長孔１１１と電源線挿通孔１１３との間の位置に、端子台１１４が取り付けられている。端子台１１４には、電源線挿通孔１１３を通して引き込まれた電源線が接続される。端子台１１４は、接続線（図示しない）を介して、電源装置（図示しない）と電気的に接続されている。これにより、商用電源から端子台１１４を介して、電源装置に交流電力が供給される。
【００１４】
また、前側板１２１ａ及び後側板１２１ｂは、左右方向に延びる板状に形成されている。なお、前側板１２１ａ及び後側板１２１ｂは、左右方向の長さ寸法が同じになるように形成されている。右側板１２２ａ及び左側板１２２ｂは、前後方向に延びる板状に形成されている。右側板１２２ａ及び左側板１２２ｂは、前後方向の長さ寸法が同じになるように形成されている。また、右側板１２２ａ及び左側板１２２ｂは、前後方向の長さ寸法が前側板１２１ａ及び後側板１２１ｂの左右方向の長さ寸法よりも大きくなるように形成されている。右側板１２２ａは、前側板１２１ａ及び後側板１２１ｂの右端同士を連結する（図３Ｂ参照）。また、左側板１２２ｂは、前側板１２１ａ及び後側板１２１ｂの左端同士を連結する。側板１２の下端には、左右方向の外向きに突出する鍔部１３が形成されている。鍔部１３は、側板１２と一体に形成されている（図１Ａ参照）。また、鍔部１３は、上面が天井材２００の表面と当接するように、側板１２の下端から左右方向の外側に折り曲げられて形成されている。また、鍔部１３の外端には、下向きに突出する外鍔部１４が形成されている。外鍔部１４は、鍔部１３と一体に形成されている。
【００１５】
また、器具本体１０が取り付けられる天井材２００には、図１Ａに示すように、器具本体１０が下側から挿入される開口部２０１が設けられている。天井材２００の上側にある建物の躯体（図示せず）には、器具本体１０を固定するために複数本（例えば２本）の吊りボルト２０２が設けられている（図３Ａ参照）。吊りボルト２０２に器具本体１０を固定する場合、天井材２００の開口部２０１に器具本体１０を下側から挿入する。次に、吊りボルト２０２をボルト挿通長孔１１１とボルト挿通長孔１１２とに通す。そして、図１Ａ及び図３に示すように天井材２００における開口部２０１の周縁に鍔部１３を当接させる。この状態で、ボルト挿通長孔１１１，１１２から下側に突出する吊りボルト２０２にナット２０３をねじ込むと、器具本体１０が吊りボルト２０２に固定される（図３Ａ参照）。
【００１６】
器具本体１０は、ランプソケット２１ａを有する。ランプソケット２１ａは、前側板１２１ａの内面に、左右方向に並んで２個設けられている（図３Ａ参照）。また、器具本体１０は、ランプソケット２１ｂを有する。ランプソケット２１ｂは、後側板１２１ｂの内面のランプソケット２１ａと対向する位置に、左右方向に並んで２個設けられている。対向するランプソケット２１ａとランプソケット２１ｂには、ランプ２２が着脱可能に１本ずつ装着されている（図３参照）。なお、ランプソケット２１ａ，２１ｂは、電線（図示しない）を介して、電源装置に電気的に接続される。これにより、ランプ２２は、電源装置から給電されることで点灯する。なお、ランプ２２として、日本電球工業会規格ＪＥＬ８０１「Ｌ形ピン口金ＧＸ１６ｔ−５付直管形ＬＥＤランプシステム（一般照明用）」に準拠した直管ＬＥＤランプが用いられている。ただし、ランプ２２は、上記の規格に準拠した直管ＬＥＤランプに限定されない。ランプ２２として、例えば上記の規格に準拠しない直管ＬＥＤランプや、直管形の蛍光灯を用いることも可能である。
【００１７】
また、器具本体１０の内部には、ランプ２２を上方から覆うように、反射部材２３が取り付けられている（図３Ｂ参照）。反射部材２３は、前後方向に延びる長方形状の金属板により形成されている。また、反射部材２３は、ランプ２２からの光を下方に拡散して反射するように、左右方向の端部が、左右方向の外側に行くに連れて下方に傾斜するように折り曲げられて形成されている。また、右側板１２２ａ及び左側板１２２ｂの内面には、反射部材２３の左右方向の外端よりも下方の位置に、前後方向に所定の間隔を空けて、取付部材２４が２つずつ支持されている（図３Ｂ参照）。取付部材２４は、板金がＬ字状に折り曲げられて形成されている。取付部材２４は、上下方向に延びる被支持片２４１と、被支持片２４１の下端から左右方向の内側に延びる固定片２４２とを有する。被支持片２４１は、右側板１２２ａ及び左側板１２２ｂの左右方向のそれぞれの内面に支持されている。固定片２４２の左右方向の中央部には、上下方向に貫通するねじ孔２４３が形成されている。
【００１８】
また、枠体３０は、側板１２の下端と、天井材２００の開口部２０１の周縁を覆うように構成されている（図３Ｂ参照）。枠体３０は、図１Ａ及び図２Ａに示すように底壁３０１と、開閉部材３７０とを備えている。底壁３０１は、矩形枠状に形成されている。底壁３０１の中央部には、図２に示すように前後方向に延びる貫通穴３０２が形成されている（図２参照）。また、枠体３０は、底壁３０１の外周縁から上向きに突出する外側壁３０３を有する（図１Ａ参照）。外側壁３０３は、左右方向において、外鍔部１４の外側で、底壁３０１の外端が上方に向けて折り曲げられて形成されている。また、外側壁３０３は、上端が天井材２００の表面と当接するように形成されている。また、枠体３０は、底壁３０１の内周縁から上向きに突出する内側壁３０４を有する。
【００１９】
底壁３０１の上面には、左右方向において、外側壁３０３の内側の位置に、取付壁３０５が配置されている。取付壁３０５は、金属板がＬ字形状に曲げられて形成されている。取付壁３０５は、上下方向に延びる取付片３０７と、取付片３０７の下端から左右方向の内側に延びる支持片３０６とを有する。支持片３０６は、底壁３０１の上面に支持されている。取付片３０７の上端部には、左右方向に挿通する挿通孔３０８が形成されている。支持片３０６の上面には、第１パッキン４１が支持されている。第１パッキン４１は、矩形枠状に形成されている。なお、第１パッキン４１は、シリコーン樹脂や合成ゴムなどの弾性を有する材料により形成されている。
【００２０】
取付片３０７の左右方向の内側には、パッキン押さえ３１０が配置されている。パッキン押さえ３１０は、板金がＬ字状に折り曲げられて形成されている。パッキン押さえ３１０は、上下方向に延びる被支持片３１１と、被支持片３１１の下端から左右方向の内側に延びる押さえ片３１２とを有する。被支持片３１１には、挿通孔３０８に対応する位置に、左右方向に貫通するねじ孔３１３が形成されている。押さえ片３１２の下面には、第２パッキン４２が取り付けられている。第２パッキン４２は、矩形枠状に形成されている。なお、第２パッキン４２は、シリコーン樹脂や合成ゴムなどの弾性を有する材料により形成されている。第１パッキン４１と第２パッキン４２との間には、透光パネル４５が配置されている。透光パネル４５は、平板状に形成されている。なお、透光パネル４５は、透光性を有する合成樹脂（例えばアクリル樹脂やポリカーボネート樹脂）により形成されている。
【００２１】
また、外側壁３０３と取付壁３０５との間には、固定部材３１５が配置されている。固定部材３１５は、上下方向に延びる連結片３１７と、連結片３１７の下端から左右方向の外側に延びる被支持片３１６とを有する。また、固定部材３１５は、連結片３１７の上端から左右方向の内側に延びる第１固定片３１８と、第１固定片３１８の左右方向の内側の端から上方に延びる第２固定片３１９とを有する。なお、固定部材３１５は、被支持片３１６、連結片３１７、第１固定片３１８及び第２固定片３１９により、一体に形成されている。また、固定部材３１５は、板金が折り曲げられて形成されている。被支持片３１６は、底壁３０１の上面に支持されている。第１固定片３１８には、ねじ孔２４３に対向する位置に、上下方向に貫通するねじ挿通孔３２０が形成されている。下方からねじ挿通孔３２０に挿通された取付ねじ５１０がねじ孔２４３にねじ込まれて、枠体３０が器具本体１０に固定される。また、第２固定片３１９の上下方向の中央部には、ねじ孔３１３及び挿通孔３０８に対向する位置に、左右方向に貫通する挿通孔３２１が形成されている。挿通孔３２１及び挿通孔３０８に挿通された取付ねじ５２０がねじ孔３１３にねじ込まれて、取付壁３０５と固定部材３１５とを介して、パッキン押さえ３１０が底壁３０１に固定される。よって、第１パッキン４１及び第２パッキン４２を介して、底壁３０１とパッキン押さえ３１０との間に透光パネル４５が挟み込まれる（図１Ａ参照）。
【００２２】
また、底壁３０１には、図１Ａに示すようにねじ挿通孔３２０の下側で、ねじ挿通孔３２０及びねじ孔２４３に対向する位置に、上下方向に貫通する工具挿入孔３３０が形成されている。工具挿入孔３３０は、取付ねじ５１０を回転させる工具５００の径寸法よりも僅かに大きく形成されている（図１Ａ参照）。したがって、工具挿入孔３３０は、工具５００の径寸法よりも大きな物体（例えば人の指）が、底壁３０１の上方側に挿入されてしまうことを制限することができる。
【００２３】
また、枠体３０は、開閉部材３７０は、底壁３０１の上面の工具挿入孔３３０の近傍の位置に設けられている（図１Ａ参照）。開閉部材３７０は、軸受け３７１、軸部３７２及び蓋部３７３を備える（図１Ｂ参照）。一対の軸受け３７１は、底壁３０１の上面の工具挿入孔３３０の近傍の位置に固定されている。また、軸部３７２の両端は、一対の軸受け３７１により、蓋部３７３を前から見て時計回り及び反時計回りに回転可能に支持されている。軸部３７２は、前後方向に延びる棒状（例えば丸棒状）に形成されている。また、蓋部３７３は、軸部３７２の前後方向の中央の位置に固定されている。蓋部３７３は、円盤状に形成されている。蓋部３７３は、直径の寸法が工具挿入孔３３０の内径の寸法よりも大きくなるように形成されている。開閉部材３７０は、軸部３７２の回転に伴い、蓋部３７３が工具挿入孔３３０を開閉可能に構成されている。以下では、蓋部３７３が工具挿入孔３３０を閉塞する位置、図１Ａの実線で示す蓋部３７３の位置を閉位置と定義する。また、蓋部３７３が底壁３０１から離間して工具挿入孔３３０を開放する位置、図１Ａの二点鎖線で示す蓋部３７３の位置のうち、閉位置から最も離間した蓋部３７３の位置を開位置と定義する。また、開閉部材３７０を前から見た場合に軸部３７２から最も離れた蓋部３７３の端３７３ａと、軸部３７２との間の距離をＤ１とする（図１参照）。枠体３０が器具本体１０に固定された状態において、取付ねじ５１０の頭部５１１から底壁３０１までの距離をＤ２とする（図１Ａ参照）。開閉部材３７０は、端３７３ａと軸部３７２との間の距離Ｄ１が、頭部５１１から底壁３０１までの距離Ｄ２よりも小さくなるように形成されている（図１Ａ参照）。したがって、蓋部３７３は、閉位置と開位置との間で移動する際に、取付ねじ５１０の頭部５１１に接触せずに移動することができる。また、軸部３７２の周面には、径方向の外側に突出する突起状の回転規制部（図示しない）が設けられている。回転規制部は、蓋部３７３が底壁３０１から前から見て反時計回りに９０°回転する手前で底壁３０１に接触するように、形成されている。すなわち、開閉部材３７０は、蓋部３７３を前から見た場合に、蓋部３７３が閉位置から開位置に移動する際の回転角度が９０°未満となるように形成されている。これにより、開位置に移動した蓋部３７３に対して上向きの力が加わらない場合に、蓋部３７３の自重により蓋部３７３は、蓋部３７３を前から見て時計回りに回転する。よって、蓋部３７３は開位置から閉位置に移動する。
【００２４】
以下、開閉部材３７０の開閉動作ついて説明する。
【００２５】
下方から工具５００が工具挿入孔３３０に挿入されると、工具５００と開閉部材３７０の蓋部３７３の下面とが接触する。このとき、工具５００により蓋部３７３が上向きの力を受ける。工具５００の上方への移動に伴い、蓋部３７３が閉位置から反時計回りに回転する。そして、工具５００が取付ねじ５１０の頭部５１１に接触した際に、工具５００に押された蓋部３７３が開位置に移動する（図１Ａ参照）。よって、開閉部材３７０が工具挿入孔３３０を開放する。また、工具５００が工具挿入孔３３０から引き抜かれると、蓋部３７３は上向きの力を受けない。蓋部３７３が上向きの力を受けない場合に、蓋部３７３の自重により蓋部３７３が時計回りに回転する。すなわち、蓋部３７３が閉位置に移動する。したがって、開閉部材３７０が工具挿入孔３３０を閉塞する。
【００２６】
ここで、特許文献１記載の照明器具において、枠体が器具本体に取り付けられた状態では、枠体の表面に形成された挿通孔の周縁に、取付ねじの頭部が固定されている。これにより、枠体の表面から取付ねじの頭部が露出する。よって、下方から照明器具を見上げた際に、取付ねじの頭部が視界に入ってしまい、意匠性が損なわれてしまうおそれがあった。
【００２７】
これに対して、照明器具１では、挿通孔３２０に挿通された取付ねじ５１０がねじ孔２４３にねじ込まれて、枠体３０が器具本体１０に固定される。枠体３０が器具本体１０に固定された状態では、図１Ａに示すように枠体３０の内側まで、取付ねじ５１０の頭部５１１が挿入されている。したがって、枠体３０の表面に取付ねじ５１０の頭部５１１が露出しない。これにより、下方から照明器具１を見上げた際に、取付ねじ５１０の頭部５１１が視界に入り難い。よって、枠体の表面から取付ねじの頭部が露出する特許文献１記載の照明器具に比べて、照明器具１の意匠性を向上することができる。
【００２８】
ところで、照明器具６０１（以下、比較例という）において、枠体６２０の表面に形成された工具挿入孔６３０を、枠体６２０の外側からシール材６３５等で塞ぐことができる（図５参照）。工具挿入孔６３０がシール材６３５で塞がれていると、下方から照明器具６０１を見上げた際に、工具挿入孔６３０が視界に入り難い。よって、照明器具６０１の意匠性を向上することができる。
【００２９】
しかし、工具挿入孔６３０がシール材６３５で塞がれていると、シール材６３５を剥がした後でなければ、工具５００を工具挿入孔６３０に挿入させることができない。よって、器具本体６１０から枠体６２０を取り外す際に、シール材６３５を剥がす必要が生じる。これにより、器具本体６１０から枠体６２０を取り外す作業工程に、シール材６３５を剥がす工程が含まれてしまう。また、器具本体６１０に枠体６２０を取りつけた後に、工具挿入孔６３０を目立たなくしようとすると、工具挿入孔６３０にシール材６３５を取り付ける必要がある。これにより、器具本体６１０に枠体６２０を取り付ける作業工程に、シール材６３５を取り付ける工程が含まれてしまう。したがって、比較例の照明器具６０１では、器具本体６１０から枠体６２０を着脱させる際に、施工に要する手間や時間が余分にかかってしまうという問題があった。
【００３０】
これに対して、照明器具１では、開閉部材３７０が、枠体３０の工具挿入孔３３０の上方の位置に配置されている。これにより、工具挿入孔３３０に対して下方から挿入された工具５００により開閉部材３７０の蓋部３７３が上方に押される。そして、蓋部３７３が蓋部３７３を前から見て反時計回りに回転して、閉位置から開位置に移動する。したがって、工具５００が工具挿入孔３３０に挿入された場合に、工具挿入孔３３０が開閉部材３７０を開放する。よって、器具本体１０に枠体３０を取り付ける際に、工具挿入孔３３０を塞いでいるシール材６３５を剥がす必要が無い。このように、作業工程からシール材６３５等を剥がす工程を省くことができる。また、照明器具１では、工具５００が工具挿入孔３３０から引き抜かれた際に、蓋部３７３の自重により蓋部３７３が時計回りに回転して、開位置から閉位置に移動する。したがって、工具５００が工具挿入孔３３０に挿入されていない場合に、開閉部材３７０が工具挿入孔３３０を閉塞する。よって、器具本体１０に枠体３０を取り付けた後に、工具挿入孔３３０をシール材６３５で塞ぐ必要が無い。このように、作業工程から工具挿入孔３３０をシール材６３５で塞ぐ工程を省くことができる。これにより、比較例の照明器具６０１に比べて、施工に要する手間を低減するとともに、作業時間を短縮することができる。このように、作業性の低下を抑えることができる。
【００３１】
また、照明器具１では、開閉部材３７０は、軸受け３７１に回転可能に支持された軸部３７２を備えている。開閉部材３７０は、軸部３７２を中心に回転する蓋部３７３を備えている。よって、軸部３７２を中心とする回転により、蓋部３７３を閉位置と開位置との間でずれること無く移動させることができる。したがって、軸部３７２を中心として回転可能な蓋部３７３を備えない場合に比べて、工具挿入孔３３０を確実に開閉することができる。
【００３２】
また、実施形態１に係る照明器具１として、円盤状に形成された蓋部３７３を例示したが、これに限定されない。例えば図６に示す実施形態１の変形例１のように、蓋部３８１は、頂点３８２から左右方向及び前後方向の外側に向かうに連れて、下方に向けて傾斜する四角錐状に形成されてもよい。蓋部３８１が、蓋部３８１を前から見て反時計回りに回転した場合、頂点３８２が取付壁３０５の取付片３０７の左右方向における外面に接触する。よって、蓋部３８１が底壁３０１から前から見て反時計回りに９０°回転する手前で、頂点３８２が底壁３０１に接触する。したがって、頂点３８２により、開閉部材３７０は、蓋部３８１の閉位置から開位置に移動する際の回転角度が９０°未満となるように形成することができる。なお、蓋部３８１の形状は、四角錐状に限定されず、円錐状、三角錐及び四角以上の多角錐状に形成されてもよい。
【００３３】
実施形態１に係る照明器具１の開閉部材３７０として、図１に示すように、蓋部３７３の自重により工具挿入孔３３０を閉塞する開閉部材３７０を例示したが、これに限定されない。例えば図７に示す実施形態１の変形例２のように、取付壁３０５の取付片３０７と開閉部材３７０との間を弾性体（例えば、ねじりコイルばね）３９１で連結してもよい。したがって、蓋部３７３を前から見て反時計回りの蓋部３７３の回転に伴い、弾性体３９１が側反時計回りの方向に押されて弾性変形する。そして、蓋部３７３が上向きの力を受けないと、蓋部３７３の自重と弾性体３９１の復元力により蓋部３７３が前から見て時計回りに回転する。すなわち、開閉部材３７０が閉位置に移動する。よって、実施形態１に係る照明器具１に比べて、開閉部材３７０の自重に加えて弾性体３９１の弾性復元力により確実に開閉部材３７０で工具挿入孔３３０を塞ぐことができる。
【００３４】
上述のように実施形態に係る照明器具１は、上下方向に延びる側板１２を有し且つ天井材２００に設けられた開口部２０１に埋込配設される器具本体１０を備えている。照明器具１は、側板１２の下端と天井材２００の開口部２０１の周縁とを覆う枠体３０と、を備えている。器具本体１０には、枠体３０を取り付けるための取付ねじ５１０がねじ込まれるねじ孔２４３が形成されている。枠体３０には、ねじ孔２４３の下側でねじ孔２４３に対向し且つ取付ねじ５１０を回転させる工具５００の径寸法よりも大きい物体（例えば人の指）の挿入を制限する工具挿入孔３３０が形成されている。枠体３０は、工具挿入孔３３０を閉塞する閉位置と、工具挿入孔３３０を開放する開位置との間で移動可能な開閉部材３７０を備えている。開閉部材３７０は、上向きの力を受けたときに、閉位置から開位置に移動し、上向きの力を受けていないときに、重力により開位置から閉位置に移動するように、工具挿入孔３３０の上方に配置されている。
【００３５】
実施形態に係る照明器具１が上述のように構成されているので、枠体３０が器具本体１０に固定された状態では、枠体３０の内側まで、取付ねじ５１０の頭部５１１が挿入されている。したがって、枠体３０の表面に取付ねじ５１０の頭部５１１が露出しない。これにより、下方から照明器具１を見上げた際に、取付ねじ５１０の頭部５１１が視界に入り難い。よって、枠体の表面から取付ねじの頭部が露出する特許文献１記載の照明器具に比べて、照明器具１の意匠性を向上することができる。また、器具本体１０に枠体３０を取り付ける際に、工具挿入孔３３０を塞いでいるシール材６３５を剥がす必要が無い。したがって、作業工程からシール材６３５を剥がす工程を省くことができる。また、器具本体１０に枠体３０を取り付けた後に、工具挿入孔３３０をシール材６３５で塞ぐ必要が無い。よって、作業工程から工具挿入孔３３０をシール材６３５で塞ぐ工程を省くことができる。これにより、比較例の照明器具６０１に比べて、施工に要する手間を低減するとともに、作業時間を短縮することができる。このように、作業性の低下を抑えつつ、意匠性を向上させた照明器具を提供することができる。
【００３６】
また、実施形態に係る照明器具１において、開閉部材３７０は、枠体３０に設けられた軸受け３７１に支持された軸部３７２と、軸部３７２を中心に回転する蓋部３７３と、を備えている。蓋部３７３は、軸部３７２を中心とする回転に伴い、閉位置と開位置との間で移動可能なことが好ましい。
【００３７】
実施形態に係る照明器具１が上述のように構成されれば、軸部３７２を中心とする回転により、蓋部３７３を閉位置と開位置との間でずれること無く移動させることができる。したがって、軸部３７２を中心として回転可能な蓋部３７３を備えない場合に比べて、工具挿入孔３３０を確実に開閉することができる。
【００３８】
また、実施形態に係る照明器具１において、開閉部材３７０に対して、開位置から閉位置に向かう方向の力を加える弾性体３９１を備えたことが好ましい。
【００３９】
実施形態に係る照明器具１が上述のように構成されれば、開閉部材３７０の自重に加えて弾性体３９１の弾性復元力により確実に開閉部材３７０で工具挿入孔３３０を塞ぐことができる。
【００４０】
（実施形態２）
実施形態２に係る照明器具１は、基本的な構成が実施形態１に係る照明器具１と共通であるので、共通の構成要素には、同一の符号を付して説明を省略する。
【００４１】
枠体３０は、図８に示すように一対のガイド部４０１と、開閉部材４００とを備えている。一対のガイド部４０１は、底壁３０１の工具挿入孔３３０の前後方向の両側の位置に、配置されている。ガイド部４０１は、上下方向に延びる板状に形成されている。一対のガイド部４０１には、前後方向の内側に一対の案内溝４０２が形成されている（図８Ｂ参照）。また、一対の案内溝４０２は、上方に向かうに連れて、工具挿入孔３３０の外側（図８に示す左右方向の内側）に傾斜するように形成されている。一対の案内溝４０２は、形状が実施形態１に係る照明器具１の蓋部３７３が開位置と閉位置との間で移動する際に、軸部３７２が移動する移動経路と重なるように形成されていることが好ましい。
【００４２】
また、開閉部材４００は、蓋部３７３と、蓋部３７３の前後方向の外側に突出する軸部４１１（一部分）とで構成されている。軸部４１１は、前後方向に延びる棒状（図では丸棒状）に形成されている。また、軸部４１１は、蓋部３７３に対して前後方向の外側に突出する部分が突起状になるように形成されている。軸部４１１は、蓋部３７３を前から見て、外径の寸法が、一対の案内溝４０２の短手方向の幅寸法よりも僅かに小さくなるように形成されている。軸部４１１の両端部は、一対の案内溝４０２に嵌め込まれている。軸部４１１は、蓋部３７３の下面に固定されている。また、蓋部３７３を前から見て軸部４１１から最も離間した蓋部３７３の端３７３ｂと、軸部４１１との間の距離をＤ３とする。案内溝４０２は、取付ねじ５１０の頭部５１１までの最短距離が、端３７３ｂから軸部４１１までの距離Ｄ３よりも小さくなるように形成されている。よって、蓋部３７３が一対の案内溝４０２に案内される際に、蓋部３７３は、取付ねじ５１０の頭部５１１に引っ掛かること無く移動することができる。
【００４３】
以下、開閉部材４００の開閉動作ついて説明する。
【００４４】
開閉部材４００では、工具５００により蓋部３７３が上向きの力を受けると、軸部４１１が一対の案内溝４０２に案内されて、蓋部３７３が上方に移動する。そして、蓋部３７３が閉位置から開位置に移動する。これにより、開閉部材４００が工具挿入孔３３０を開放する。また、工具５００により蓋部３７３が上向きの力を受けないと、軸部４１１が一対の案内溝４０２に案内されて、蓋部３７３の自重により蓋部３７３が下方の閉位置に移動する。したがって、開閉部材４００が工具挿入孔３３０を閉塞する。よって、軸部４１１を案内溝４０２に案内させることにより、開閉部材４００を閉位置と開位置との間でずれること無く移動させることができる。これにより、軸部４１１を案内溝４０２に案内させない場合に比べて、開閉部材４００で工具挿入孔３３０を確実に開閉することができる。
【００４５】
実施形態に係る照明器具１において、枠体３０は、工具挿入孔３３０の近傍に形成されたガイド部４０１を備えている。ガイド部４０１には、開閉部材４００が閉位置と開位置との間で移動する際の移動経路に設けられた案内溝４０２が形成されている。開閉部材４００は、少なくとも一部分４１１が突起状に形成されており、突起状に形成された一部分４１１が案内溝４０２に案内されることが好ましい。
【００４６】
実施形態に係る照明器具１が上述のように構成されれば、軸部４１１を案内溝４０２に案内させることにより、開閉部材４００を閉位置と開位置との間でずれること無く移動させることができる。したがって、軸部４１１を案内溝４０２に案内させない場合に比べて、開閉部材４００で工具挿入孔３３０を確実に開閉することができる。
【００４７】
（実施形態３）
実施形態３に係る照明器具１は、基本的な構成が実施形態１に係る照明器具１と共通であるので、共通の構成要素には、同一の符号を付して説明を省略する。
【００４８】
枠体３０は、図９に示すように傾斜面４５３ｂと、開閉部材４５０とを有する。また、枠体３０は、底壁３０１の上面に固定された一対の移動制限壁４５１を有する（図９Ｂ参照）。一対の移動制限壁４５１は、前後方向において、工具挿入孔３３０を挟んだ状態で配置されている。一対の移動制限壁４５１は、左右方向に延びる板状に形成されている。一対の移動制限壁４５１は、左右方向の幅寸法が、取付片３０７と連結片３１７との間の距離と同じになるように形成されている。また、一対の移動制限壁４５１は、左右方向において、取付片３０７の外面と、連結片３１７の内面とを連結する。これにより、工具挿入孔３３０が、一対の移動制限壁４５１、取付片３０７及び連結片３１７により取り囲まれている。なお、一対の移動制限壁４５１、取付片３０７及び連結片３１７によって、外枠壁４５２が構成されている。また、枠体３０は、傾斜部材４５３を有する。傾斜部材４５３は、外枠壁４５２に囲まれた領域Ｅ１に配置されている。また、傾斜部材４５３は、上下方向の高さが、外枠壁４５２の高さよりも低くなるように形成されている。傾斜部材４５３の上面には、左右方向及び前後方向の中央の位置に、窪み部４５３ａが形成されている。窪み部４５３ａの表面は、工具挿入孔３３０の周縁と、外枠壁４５２の各内面とを連結する傾斜面４５３ｂで構成されている。傾斜面４５３ｂは、工具挿入孔３３０から外枠壁４５２の各内面に向かうに連れて上方に傾斜するように構成されている。
【００４９】
開閉部材４５０は、傾斜面４５３ｂ上に配置されている。開閉部材４５０は、球体状に形成されている。開閉部材４５０は、直径の寸法が工具挿入孔３３０の外径の寸法よりも大きくなるように形成されている。したがって、開閉部材４５０は、工具挿入孔３３０から落下せずに、傾斜面４５３ｂの上面に留まっている。また、開閉部材４５０は、直径の寸法が頭部５１１から底壁３０１までの距離Ｄ２よりも短くなるように形成されている。また、傾斜面４５３ｂから取付ねじ５１０の頭部５１１までの最短距離をＤ４とする。開閉部材４５０は、直径の寸法が傾斜面から頭部５１１までの最短距離Ｄ４よりも短くなるように形成されている。開閉部材４５０が傾斜面４５３ｂに沿って移動する際に、開閉部材４５０は、取付ねじ５１０の頭部５１１に引っ掛かること無く移動することができる。
【００５０】
以下、開閉部材４５０の開閉動作ついて説明する。
【００５１】
工具５００により開閉部材４５０が上向きの力を受けると、開閉部材４５０が、傾斜面４５３ｂに沿って、閉位置から上方に移動する。そして、工具５００と取付ねじ５１０の頭部５１１とが接触した際に、開閉部材４５０が開位置に移動する。したがって、開閉部材４５０が工具挿入孔３３０を開放する。また、工具５００により開閉部材４５０が上向きの力を受けないと、開閉部材４５０の自重により開閉部材４５０が傾斜面４５３ｂを転がり落ちて、閉位置に移動する。よって、開閉部材４５０が工具挿入孔３３０にはまり込んで工具挿入孔３３０を閉塞する。これにより、傾斜面４５３ｂに沿って、開閉部材４５０を閉位置と開位置との間でずれること無く移動することができる。このように、開閉部材４５０を傾斜面４５３ｂに沿って移動させない場合に比べて、開閉部材４５０で工具挿入孔３３０を確実に開閉することができる。
【００５２】
実施形態に係る照明器具１が上述のように構成されれば、枠体３０は、工具挿入孔３３０の径方向の外側に向かうに連れて上方に傾斜する傾斜面４５３ｂを有する。開閉部材４５０は、傾斜面４５３ｂに沿って移動可能な球体状であることが好ましい。
【００５３】
実施形態に係る照明器具１が上述のように構成されれば、傾斜面４５３ｂに沿って、開閉部材４５０を閉位置と開位置との間でずれること無く移動することができる。したがって、開閉部材４５０を傾斜面４５３ｂに沿って移動させない場合に比べて、開閉部材４５０で工具挿入孔３３０を確実に開閉することができる。
【符号の説明】
【００５４】
１  照明器具
１０  器具本体
１２  側板
３０  枠体
２００  天井材
２０１  開口部
２４３  ねじ孔
３３０  工具挿入孔
３７０  開閉部材
３７１  軸受け
３７２  軸部
３７３  蓋部
３８１  蓋部
３９１  弾性体
４００  開閉部材
４０１  ガイド部
４０２  案内溝
４１１  軸部（一部分）
４５０  開閉部材
４５３ｂ  傾斜面
５００  工具
５１０  取付ねじ
【図１】
0006604573.tif 000002
【図２】
0006604573.tif 000003
【図３】
0006604573.tif 000004
【図４】
0006604573.tif 000005
【図５】
0006604573.tif 000006
【図６】
0006604573.tif 000007
【図７】
0006604573.tif 000008
【図８】
0006604573.tif 000009
【図９】
0006604573.tif 000010